(57)【特許請求の範囲】
【請求項１】
磁気テープ３を巻き取る単一のリール２を内蔵するケース本体１と、
ケース本体１の前面に、磁気テープ３をケース本体１の前方外側に引き出すための開口部４と、
ケース本体１の前壁６と、前壁６の内側に対向状に配置したガイド壁１６とで、左右方向にスライド自在に案内支持されて開口部４を開閉するシャッタ５と、
ケース本体１内に装着されて、シャッタ５をこれが開口部４を閉じる姿勢に移動付勢するばね部材２０とを含み、
磁気テープ３の繰り出し端にテープ引出具７が連結されており、
前記開口部４には、該開口部４をシャッタ５で閉じた状態において、シャッタ５の内側にテープ引出具７を待機姿勢に保持する手段が備えられており、
ばね部材２０が、隣接する２個のコイル部２１・２１と、両コイル部２１・２１を接続する橋絡部２２と、各コイル部２１・２１から連出した２個のばね腕２３・２４とを一体に備えたねじりコイルばねであり、
ばね部材２０は、前壁６とガイド壁１６との間のガイド空間において、左右に隣接する両コイル部２１・２１が上方に位置して両ばね腕２３・２４が各コイル部２１・２１から左右両外側に垂れ下がる起立姿勢で配置されており、
ガイド壁１６とシャッタ５とには、各ばね腕２３・２４の先端を掛け止めるためのばね掛け部１５・１７がそれぞれ設けられており、
両ばね掛け部１５・１７の少なくとも一方が、上下方向に長い溝で形成されていて、
一方のばね腕２３がガイド壁１６のばね掛け部１７に掛け止められ、他方のばね腕２４がシャッタ５のばね掛け部１５に掛け止められている記録媒体用カートリッジ。
【請求項２】
シャッタ５には、ばね腕２４が掛け止められる基端部１２の上方部分に、開口部４を開放した状態において両コイル部２１・２１との接当干渉を避けるための切欠部１４が設けられている請求項１記載の記録媒体用カートリッジ。  
【発明の詳細な説明】
【０００１】
【発明の属する技術分野】
ケース本体内に記録媒体としての磁気テープを巻き取る単一のリールを収納した単リール型の磁気テープカートリッジがあり、コンピュータ・データのバックアップ用に供せられている。別に、ケース本体内に記録媒体としての磁気ディスク、光ディスク、光磁気ディスクなどのディスクを回転自在に収納したディスクテープカートリッジがある。本発明は、ケース本体内に先の磁気テープ、磁気ディスク、光ディスク、光磁気ディスクなどの記録媒体が収納される記録媒体用カートリッジに関する。とくに記録媒体との関係でケース本体に開口部を設けることになるが、この開口部を開閉するシャッタを閉じ姿勢に移動付勢するばね部材に改良を加えたものである。
【０００２】
【従来の技術】
例えば、単リール型の磁気テープカートリッジでは、ケース本体の前面に磁気テープをケース外方に引き出すための開口部を有する。かかる単リール型の磁気テープカートリッジにおいて、前記開口部を開閉するシャッタを揺動自在に軸支し、このシャッタをねじりコイル形のばねで閉じ姿勢に揺動付勢することが、特開平８−６３９４０号公報に公知である。これによれば、不使用時に塵埃等の異物がケース内部へ侵入するのを防ぐのに有利である。
【０００３】
【発明が解決しようとする課題】
このように揺動式のシャッタで開口部を開閉する構造では、開放状態におけるシャッタがケース本体の前面で外方へ大きく突出する。そのため、テープドライブ側においてテープローディング機構やテープ搬送機構などのメカニズムの配置に関し、設計の自由度が低くなるのを避けられず、テープドライブの構造の簡素化やテープ送りの高速化を図るうえで限界がある。
【０００４】
本発明者らは、テープドライブの構造の簡素化と機能向上の一助とするために、シャッタを建具の引き戸状に変更して、シャッタをケース本体の外郭線内でスライド開閉することを検討した。引き戸型のシャッタは、これを原理的にみると、スライド切り換えされる誤消去防止用のプロテクトノッチと同様の支持構造を採ることで、簡単に実現できることではある。しかし、単リール型の磁気テープカートリッジの場合には、テープ端に固定したテープ引出具を前記開口部の内側に待機保持しておく必要があるので、テープ引出具を捕捉するローディング機構の動作範囲に対応して、開口部を左右方向に大きく開口しなければならず、その分だけシャッタの開閉ストロークが大きくなる点に問題がある。
【０００５】
このような問題は、先のディスクテープカートリッジにおいても生じる。そこではケース本体に信号読み書き用の開口部を設けているが、この開口部を開閉するためのシャッタがケース本体にスライド自在に装着される。その際に、不使用時の塵埃などの侵入防止のために、シャッタをねじりコイルばねの類で閉じ姿勢に移動付勢しようとすると、この場合もシャッタの開閉ストロークが大きくなるからである。
【０００６】
もともと、スライド式シャッタの開閉ストロークが大きくなると、シャッタを閉じ姿勢に移動付勢するばねの配置や、開放時と閉止時のばねの張力変化幅を適正化するのが難しくなる。シャッタの開閉ストロークが小さい場合には、単一のコイル部の両端にばね腕を連出した通常形態のねじりコイルばねでシャッタを支障なく閉じ付勢でき、ばねの張力も線径や巻数等を適宜選択することで、設計者の意図通りに設定できる。しかし、開閉ストロークが大きくなるに従い、ねじりコイルばねの一対のばね腕の開きストロークが不足する傾向を生じる。とくに、先の単リール型磁気テープカートリッジにおいて、ねじりコイルばねをケース本体の内面に起立姿勢で配置する場合には、ばね腕の上下寸法をケース本体の内面の上下寸法より小さくせざるを得ないので、シャッタの開閉ストロークがケース本体の上下寸法を越えて大きくなると、一対のばね腕の開閉ストロークが不足する。
【０００７】
また、シャッタの開閉ストロークが大きくなると、ばね腕の変位量も大きくなり、その分だけばねの張力変化幅が大きくなる。そのため、ばね腕の開閉ストロークに関して、通常形態のねじりコイルばねを用いることに問題がなかったとしても、シャッタの開放時と閉止時とで極端な張力差を生じ、長期使用時にばねが劣化しやすい。張力の変化幅は、コイル部の巻数を増加することで減少できる。しかし、巻数の増加に伴って、ねじりコイルばねの前後厚みが大きくなる。従って、ねじりコイルばねを収容するためだけに、ケース本体の内部に十分なスペースを確保しなければならず、その分だけケース本体の外形寸法が大きくなる。因みに、コイル径の小さな圧縮ばねや引張りばねを用いたとしても、その収容スペースを小さくすることは難しく、ケース本体の小形化には寄与できない。
【０００８】
本発明の目的は、スライド式のシャッタを閉じ勝手に移動付勢するばね部材として、２個のコイル部を備えた特殊ねじりコイルばねを用いることにより、シャッタの開閉ストロークの増加に支障なく対応でき、しかもシャッタを必要かつ十分なばね力で適正に閉じておける記録媒体用カートリッジを得るにある。
【０００９】
本発明の他の目的は、テープ引き出し用の開口部を左右方向にスライド自在な引き戸状のシャッタで開閉する単リール型の磁気テープカートリッジを得ることにある。本発明の更に他の目的は、薄い板状のシャッタを左右方向にスライド案内する前後幅が小スペースのガイド空間内においても、ばね部材をこれのコイル部が上方に位置する縦姿勢で容易に装着することができる単リール型の磁気テープカートリッジを得るにある。
【００１０】
本発明の別の目的は、信号読み書き用の開口部をスライド自在なシャッタで開閉するディスクテープカートリッジにおいて、小スペース内においても、開閉ストロークの大きいシャッタを閉じ姿勢に移動付勢するためのばね部材が容易に装着できるようにすることにある。本発明の更に別の目的は、ケース本体内の上下高さ寸法が小さ過ぎてばね部材をコイル部が上方に位置する縦姿勢に組み込めない場合にも、ケース本体のひとつの角形コーナー部内に生じるデッド・スペースを有効利用して、ばね部材をこれのコイル部が略水平の横姿勢で容易に装着することができるディスクテープカートリッジを得るにある。
【００１１】
【課題を解決するための手段】
本発明の記録媒体用カートリッジは、記録媒体を内蔵するケース本体１と、記録媒体に関連してケース本体１に設けられるべき開口部４と、ケース本体１にスライド自在に装着されて開口部４を開閉するシャッタ５と、ケース本体１内に装着されて、シャッタ５をこれが開口部４を閉じる姿勢に移動付勢するばね部材２０とからなる。そのばね部材２０は、図６に示すごとく隣接する２個のコイル部２１・２１と、両コイル部２１・２１を接続する橋絡部２２と、各コイル部２１・２１から連出した２個のばね腕２３・２４とを一体に備えたねじりコイルばねであり、一方のばね腕２３がケース本体１側に掛け止められ、他方のばね腕２４がシャッタ５側に掛け止められるようにしたことを特徴とする。
【００１２】
具体的には、図１ないし図６に示すごとく記録媒体が磁気テープ３であって、磁気テープ３を巻き取る単一のリール２がケース本体１内に配置されている単リール型の磁気テープカートリッジを対象とする。そのケース本体１の前面には、磁気テープ３をケース本体１の前方外側に引き出すための開口部４が設けられており、磁気テープ３の繰り出し端にテープ引出具７が連結されており、ケース本体１の開口部４には、該開口部４をシャッタ５で閉じた状態において、シャッタ５の内側にテープ引出具７を待機姿勢に保持する手段を備えている。
【００１３】
ケース本体１の前壁６と、前壁６の内側に対向状に配置したガイド壁１６とで、シャッタ５が左右方向にスライド自在に案内支持されており、ばね部材２０は、前壁６とガイド壁１６との間のガイド空間において、左右に隣接する両コイル部２１・２１が上方に位置して両ばね腕２３・２４が各コイル部２１・２１から左右両外側に垂れ下がるように起立姿勢で配置されている。
【００１４】
シャッタ５には、ばね腕２４が掛け止められる基端部１２の上方部分に、開口部４を開放した状態において両コイル部２１・２１との接当干渉を避けるための切欠部１４が設けられている。ケース本体１とシャッタ５とには、各ばね腕２３・２４の先端を掛け止めるばね掛け部１５・１７がそれぞれ設けられており、両ばね掛け部１５・１７の少なくとも一方が、上下方向に長い溝で形成されている。この場合、両ばね掛け部１５・１７が、ともに上下方向に長い溝で形成されていることがより好ましい。
【００１５】
また、本発明は、図７ないし図１１に示すごとく、記録媒体が片面ないし両面に情報信号を記録する円盤状のディスク３０であって、ケース本体１内にディスク３０が回転自在に配置されたディスクカートリッジを対象とする。そこでは、ケース本体１の主面壁３１に、ディスク３０に対する信号読み書き用の開口部４が設けられている。ケース本体１には、前記開口部４を開閉するシャッタ５がスライド自在に装着されており、ケース本体１内にシャッタ５をこれが開口部４を閉じる姿勢に移動付勢するばね部材２０を備えている。そのばね部材２０は、２個のコイル部２１・２１と一対のばね腕２３・２４とを有する前述の特殊ねじりコイルばねからなる。
【００１６】
具体的には、ケース本体１の上下の主面壁３１に、信号読み書き用の開口部４が設けられており、シャッタ５が、ケース本体１の上下の外表面に左右方向へスライド自在に装着されて上下の開口部４・４を開閉する本体部分３３・３３と、上下の本体部分３３・３３どうしをつなぐ縦連結壁３４とからなり、ケース本体１の左右のひとつの角形コーナー部３６内において、ばね部材２０の一方のばね腕２３がケース本体１側に掛け止められ、ばね部材２０の他方のばね腕２４がケース本体１内に臨む縦連結壁３４のばね掛け部３５に掛け止められている。そして、ばね部材２０は、左右に隣接する両コイル部２１・２１が後方に位置して両ばね腕２３・２４が各コイル部２１・２１から左右両外側の前方に延びる略水平姿勢に配置されており、信号読み書き用の開口部４を開放した状態において、両ばね腕２３・２４が互いに接近するとともに、両コイル部２１・２１がケース本体１の左右の一側壁寄りに退避するようになっている。
【００１７】
【作用】
ばね部材２０として、２個のコイル部２１・２１と、一対のばね腕２３・２４とからなる特殊ねじりコイルばねを用いているので、コイル部がひとつの通常形態のねじりコイル形のばねに比べて、一対のばね腕２３・２４の拡縮変位ストロークを十分に稼ぐことができる。
【００１８】
２個のコイル部２１・２１によって、必要かつ十分なコイル巻数を確保できるので、シャッタ５の開閉ストロークが大きい場合にも、シャッタ５の開放時と閉止時のばね張力の変動幅が小さくなり、その分だけ長期使用時のばねの劣化を防止できる。２個のコイル部２１・２１が左右に隣接して橋絡部２２で連続されていると、十分なコイル巻数を備えているにもかかわらず、ばね部材２０の前後厚みを小さくでき、薄板状のシャッタ５のガイド空間を利用してばね部材２０を配置することができる。
【００１９】
単リール型の磁気テープカートリッジの場合、一対のばね腕２３・２４は、シャッタ５が閉じられているとき左右横方向に最も離れているが、シャッタ５の開放時には相対的に接近して縦方向の寸法成分が増加する。そのため各コイル部２１・２１は、ばね腕２３・２４の変位に応じて上下動し、同時にシャッタ５に連結したばね腕２４の変位方向に追従して横移動する。こうしたコイル部２１・２１の無駄な動きを抑止するために、ばね掛け部１５・１７の少なくとも一方が上下方向に長い溝で形成されている。各ばね掛け部１５・１７が上下方向の長溝に形成されていると、シャッタ５の開閉に伴い、ばね腕２３・２４が各ばね掛け部１５・１７に沿って上下動し、先の縦寸法成分を吸収するので、コイル部２１・２１の上下動をより確実に阻止できる。換言すれば、ケース本体１内の上下高さ寸法に制約があっても、支障なくばね部材２０を組み込めることになる。
【００２０】
ディスクカートリッジの場合、図１０に示すごとくばね部材２０を略水平姿勢に配置してあると、一対のばね腕２３・２４はシャッタ５が閉じられているとき左右方向に最も離れており、後方（ケース内方）に位置する両コイル部２１・２１がディスク３０などに不用意に当たることがない。シャッタ５を開放して行くと、両ばね腕２３・２４が相対的に接近し、両コイル部２１・２１がディスク３０側に近づく後方への移動成分が生じる。しかし、シャッタ５の開き移動に伴い、図１１に示すごとく両コイル部２１・２１は左右の一側壁寄りに移動して行くので、ディスク３０などに接当干渉することなく退避して行く。このことは、ケース本体１の左右のひとつの角形コーナー部３６内において、ディスク３０との間に生じた三角形のデッド・スペースＤを有効利用できることを意味する。すなわち、ケース本体１内の上下高さ寸法に制約があって、ばね部材２０を縦姿勢で組み込めない場合でも、ばね部材２０を両コイル部２１・２１が上方に位置する略水平姿勢に置くことにより支障なく組み込めることになる。
【００２１】
【実施例】
（第１実施例）
図１ないし図６は本発明に係る記録媒体用カートリッジの第１実施例として、単リール型の磁気テープカートリッジを示している。図２において磁気テープカートリッジは、上下ケース１ａ・１ｂを蓋合わせ状に接合してなる角箱状のケース本体１を有し、ケース本体１の内部に配置した単一のリール２に磁気テープ３が巻き取り巻装されている。ケース本体１はテープドライブに対して図２の矢印Ｐ方向に装填される。説明の都合上、図２においてケース本体１の右側壁を前壁６としてみると、この前壁６の一側端（図では右側端）には、テープ引き出し用の開口部４が設けられている。ケース本体１には、開口部４を開閉するためのシャッタ５が左右方向にスライド自在に装着されている。開口部４に臨むケース本体１の右横側壁の前端には、シャッタ５の受部１３を受け入れる切欠１８が設けられている。
【００２２】
リール２に巻装した磁気テープ３をケース外へ引き出し操作するために、テープ３の繰り出し端にはテープ引出具７が連結されている。詳しくは、図３に示すようにピン状のテープ引出具７の上下中途部にテープ３の端部を輪奈状に巻き付けた後、輪奈部分に緩衝体と断面Ｃ字形のクリップ８とを順に外嵌装着して、磁気テープ３の端部にテープ引出具７が連結されている。
【００２３】
前記開口部４には、該開口部４をシャッタ５で閉じた状態において、シャッタ５の内側にテープ引出具７を待機姿勢に保持する手段を備えている。すなわち、開口部４の横側壁寄りの内方には、上下ケース１ａ・１ｂと一体に弾性変形可能な保持部９が上下に設けてあり、これらの保持部９でテープ引出具７の上下両端の軸部を係合保持することにより、テープ引出具７を垂直姿勢に待機保持できる。つまり、開口部４の前面をシャッタ５で閉じた状態において、シャッタ５の内側にテープ引出具７を保持した状態にすることができる。テープドライブに設けたローディング部材は、シャッタ５を開き操作した状態下でクリップ８と上下の保持部９との間の軸部分を捕捉して、テープ引出具７をケース外へ抜き出し、あるいはテープ３の巻き戻しに並行してテープ引出具７を保持部９に圧嵌状に係合させてケース内へ戻す。こうしたローディング部材の出入りを許すために、開口部４が左右横長に大きく開口している。
【００２４】
図６においてシャッタ５は、開口部４を開閉する主面壁１１と、常にケース本体１の前壁６の内面に位置する左側の基端部１２とを一体に形成した薄板状のプラスチック成形品からなり、主面壁１１の閉じ始端（図に向かって右端）側の側縁外面に、テープドライブ側の操作突起で相対的にスライド操作される受部１３が突設されている。シャッタ５の開放始端となる基端部１２の上縁は主面壁１１の上縁に対して段落ち状に凹ませて切欠部１４としてある。この切欠部１４の裏面側の壁面は主面壁１１の裏面から僅かに段落ちするように設けてあって、段落面のほぼ中央に上下に長い溝で形成したばね掛け部１５が貫通状に設けられている。段落面を設けるのは、後述するばね部材２０の一方のばね腕２４を受け入れるためである。シャッタ５の開放時に、ばね部材２０のコイル部２１とシャッタ５とが接当干渉するのを避けるために、切欠部１４が設けられている。
【００２５】
図５に示すようにシャッタ５は、ケース本体１の前壁６と、前壁６の内面に対向状に配置したガイド壁１６とで左右方向にスライド自在に案内支持されて、開口部４を開閉する。前壁６およびガイド壁１６は、それぞれ上下ケース１ａ・１ｂと一体に形成してあって、上下ケース１ａ・１ｂの接合面において上下に連続して基端部１２と主面壁１１とをスライド案内するが、開口部４に臨む部分においては主面壁１１の上下端のみをガイドする。前壁６とガイド壁１６との前後間隔は、シャッタ５の主面壁１１の厚みよりも僅かに大きく寸法設定する。ばね部材２０の一方のばね腕２３を掛け止めるために、下ケース１ｂ側のガイド壁１６には、上下に長い溝からなるばね掛け部１７を設ける。このばね掛け部１７は上端がばね腕２３の導入用に開口しているが、この開口は上ケース１ａ側のガイド壁１６で塞がれる。
【００２６】
シャッタ５を閉じ勝手に移動付勢するために、前壁６とガイド壁１６とで区画した両者６・１６間のガイド空間の内部にばね部材２０を配置する。図６においてばね部材２０は、左右に隣接する２個のコイル部２１・２１と、両コイル部２１・２１の前端どうしを接続する橋絡部２２と、各コイル部２１・２１から連出した左右２個のばね腕２３・２４とを一体に形成した、ばね線材製のねじりコイルばねからなり、一対のばね腕２３・２４にはこれが左右横方向に拡開する向きのばね力を生じるようにくせ付けしてある。一対のばね腕２３・２４は、それぞれコイル部２１の後端から下向きに垂れ下がるよう連出してあって、それぞれの先端には、前後逆向きの掛止片２５・２６がそれぞれ折り曲げ形成してある。一方の掛止片２６はシャッタ５のばね掛け部１５に掛け止め係合し、他方の掛止片２５はガイド壁１６のばね掛け部１７に掛け止め係合する。コイル部２１の前後厚み寸法は、前壁６とガイド壁１６の前後間隔より僅かに小さい。
【００２７】
不使用状態におけるシャッタ５は、図４に示すようにばね部材２０のばね力を受けて閉じ側へ移動付勢され、開口部４を閉止している。この状態のばね部材２０の両コイル部２１・２１は、ガイド空間の上壁で受け止められている。磁気テープカートリッジをテープドライブに装填すると、シャッタ５の右端に設けた受部１３がテープドライブ側の操作突起に当たるので、シャッタ５がばね部材２０の付勢力に抗して開放操作される。この間に、ばね部材２０はばね腕２３・２４どうしが接近するように弾性変形し、縦方向の寸法成分が増えた分だけ、各掛止片２５・２６がばね掛け部１５・１７に沿って下方にスライドして、寸法変化を吸収する。シャッタ５を完全に開放した状態においては、図１に示すように一対のコイル部２１・２１はガイド空間の最奥部（左側）へ移動する。この状態においてシャッタ５がコイル部２１・２１と接当干渉するのを避けるために前述の切欠部１４を設けてあり、基端部１２がコイル部２１・２１より下側のガイド空間内へ入り込むことを許容する。この後にテープ引出具７をローディング部材で捕捉して磁気テープ３をケース外へ引き出す。
【００２８】
磁気テープカートリッジの組み立て時には、ばね部材２０の一方のばね腕２４の掛止片２６を、シャッタ５の基端部１２の裏面側からばね掛け部１５に係合した後、シャッタ５を前壁６とガイド壁１６との間に差し込み装填し、他方のばね腕２３の掛止片２５を下ケース１ｂ側のばね掛け部１７に差し込むだけで、シャッタ５およびばね部材２０を簡単に組むことができる。また、両ばね掛け部１５・１７に掛止したばね部材２０は、シャッタ５を閉じ操作した状態において、安定しやすい拡開変形状態になるので、組立工程の終段で上ケース１ａを下ケース１ｂに組み付ける際に、ばね部材２０が下ケース１ｂから跳ね出ることもなく、組み立てを容易化できる。
【００２９】
なお、第１実施例において、シャッタ５側のばね掛け部１５は、基端部１２の下縁側で開口していてもよい。シャッタ５とガイド壁１６とに設けたばね掛け部１５・１７は、掛止片２５・２６を受け入れる丸穴で形成できる。但し、この場合のばね部材２０は基端部１２の上下寸法を小さくして、コイル部２１との接当干渉を避けるようにするべきである。ガイド壁１６は下ケース１ｂあるいは上ケース１ａの一方から突設して形成することができる。いわゆるＤＡＴ（ディジタル・オーディオ・テープ）方式の磁気テープカートリッジにおいても、ケース本体１の前面にテープローディング用の開口部４を有し、ケース本体１の底壁の外側に該開口部４の開口下面を開閉するシャッタ５を前後スライド自在に装着し、ケース本体１とシャッタ５との間にシャッタ５をこれが前記開口部４を閉じる姿勢に移動付勢するばね部材２０を掛け止め装着しており、このシャッタ５の前後スライドストロークも大きい。従って本発明は、かかるＤＡＴ方式の磁気テープカートリッジに適用しても有効である。
【００３０】
（第２実施例）
図７ないし図１１は本発明に係る記録媒体用カートリッジをディスクカートリッジに適用した第２実施例を示す。図７において、ディスクカートリッジは情報信号を記録する円盤状の光磁気ディスク（以下、単にディスクという））と、このディスク３０を回転自在に収容するケース本体１とからなる。ディスク３０はディスク本体の片面ないし両面に情報信号を記録でき、ディスク本体の下面中央に回転駆動用のハブが固定してある。
【００３１】
図９においてケース本体１は、それぞれプラスチック成形された上ケース１ａと下ケース１ｂとを接合した、平面視が四角形の偏平なケースからなる。ケース本体１はディスクドライブに対して図７の矢印Ｐ方向に装填される。説明の都合上、図７の前壁６を基準にして説明すると、ケース本体１の上下の主面壁３１・３１には、前側縁寄りの左右中央部位に信号読み書き用の開口部４が設けられており、ケース本体１に、該開口部４を開閉するプラスチック製のシャッタ５が左右方向にスライド自在に装着されている。このシャッタ５は、開口部４を閉じる中央位置と開口部４を開放する左右の一側方（図では左側方）とにわたってスライド移動でき、ケース本体１内に装着したばね部材２０で閉じ姿勢に移動付勢されている。ケース本体１の上下の主面壁３１・３１には、外表面にシャッタ５の開閉領域に対応して、浅いスライド凹部３２が凹み形成されている。なお、下ケース１ｂの中央にはハブ駆動口３８を設けてあり、このハブ駆動口３８を介してディスク３０が回転駆動される。
【００３２】
図９においてシャッタ５は、ケース本体１の上下の主面壁３１・３１に設けたスライド凹部３２において該主面壁３１・３１の外表面を左右方向へスライドして上下の開口部４・４を開閉する本体部分３３・３３と、上下の本体部分３３・３３どうしを連結する縦連結壁３４とからなる。縦連結壁３４の左端部位にばね掛け部３５が後方に向けて一体に突設されており、このばね掛け部３５がケース本体１の内部に臨んでいる。ケース本体１の前方左側のコーナー部３６は実質的に角形に形成されており、この角形コーナー部３６の内側においてケース本体１の左側壁の前端別にばね掛け部３７が設けられている。角形コーナー部３６内には、ディスク３０の円形外周縁との間に三角形のデッド・スペースＤが生じており、ばね部材２０はこのデッド・スペースＤに装着される。
【００３３】
ケース本体１の角形コーナー部３６を含む前壁６の部分は、上下中央が開口しており、この開口を介してばね掛け部３５がケース本体１内に入り込んでいる。ケース本体１内には、図９に示すごとく前壁６の内側に該前壁６と平行なガイド壁３９・３９が上下の主面壁３１・３１から上下対向状に突設されており、上下のガイド壁３９・３９間に隙間４０を有する。ブロック状のばね掛け部３５は、ケース本体１の前壁６とガイド壁３９との間にあって、左右横方向にスライド案内される。また、図１０に示すごとく、前述の角形コーナー部３６を含めてディスク３０の外側には円弧状の隔壁４１を設けてあり、この隔壁４１でディスク３０の収容空間に外部から塵埃などが侵入するのを防止している。
【００３４】
ばね部材２０は、先の図６で説明したとおり、左右に隣接する２個のコイル部２１・２１と、両コイル部２１・２１の前端どうしを接続する橋絡部２２と、各コイル部２１・２１から連出した左右２個のばね腕２３・２４とを一体に形成した、ばね線材製のねじりコイルばねからなり、一対のばね腕２３・２４にはこれが左右横方向に拡開する向きのばね力を生じるようにくせ付けしてある。
【００３５】
角形コーナー部３６内において、図１０に示すごとくばね部材２０は、左右に隣接する両コイル部２１・２１が後方（ケース内方）に位置して両ばね腕２３・２４が各コイル部２１・２１から左右両横外側の前方に延びる略水平の横姿勢に配置し、一方のばね腕２３の先端をケース本体１側のばね掛け部３７に掛け止め係合し、他方のばね腕２４の先端は前記隙間４０を介してシャッタ５側のばね掛け部３５に掛け止め係合してある。
【００３６】
不使用時には、図７に示すごとくシャッタ５をこれの本体部分３３・３３が上下の開口部４・４を閉じるようばね部材２０で移動付勢している。必要に応じて、シャッタ５を閉じ姿勢に保持するロック手段が別に設けられる。このときのばね部材２０は、図１０に示すごとく左右のばね腕２３・２４が左右横方向へ最大限に開いており、両コイル部２１・２１のケース後方への突出は最も小さく、両コイル部２１・２１はディスク３０の外周縁、正確には前記隔壁４１と所定の間隔をおいて対向している。
【００３７】
ディスクドライブに対してケース本体１を矢印Ｐ方向に装填すると、シャッタ５これ全体がばね部材２０のばね力に抗して左側方へ開き移動して行く。これに伴い、ばね部材２０は一方のばね腕２３に対して他方のばね腕２４が互いに接近する向きに移動し、最終的には図１１に示すごとく角形コーナー部３６の左横側壁に寄り添う状態になる。ばね部材２０の左側方への移動に伴い、両コイル部２１・２１のケース後方への突出寸法成分が増加して行くが、コイル部２１が単一の場合に比べて増加量が小さいうえに、左横側壁に近づくにつれてディスク３０の外周の隔壁４１と両コイル部２１・２１との距離は逆に離れて行くものとなっている。従って、シャッタ５が開口部４を完全に開放する全過程において、両コイル部２１・２１は角形コーナー部３６内の三角形デッド・スペースＤを有効に利用して隔壁４１に干渉することなく自由に移動できる。
【００３８】
なお、第２実施例において、ばね部材２０はシャッタ５とケース本体１の右側壁との間に介在させてもよい。ディスク３０が光ディスクや磁気ディスクであってもよい。ディスクドライブに対するケース本体１の装填方向は特に限定されない。内部にばね部材２０が装着されるケース本体１の角形コーナー部３６は、実質的に角形であればよく一部が丸く角落としされた形態も含む。
【００３９】
上記の実施例では、ばね部材２０を図６の縦姿勢に置いた状態において、一対のコイル部２１・２１の前端どうしを橋絡部２２で接続したが、一方のコイル部２１の後端と、他方のコイル部２１の前端とを橋絡部２２で接続してもよいし、橋絡部２２を両コイル部２１・２１の下端側に設けてもよい。要は、一対のコイル部２１・２１と、一対のばね腕２３・２４とが一筆書き状に一体に折り曲げ形成してあればよい。
【００４０】
【発明の効果】
本発明では、スライド式のシャッタ５で開口部４を開閉するようにしたので、開口部４を開放した状態において、シャッタ５がケース本体１の外面に大きく突出するのを解消できる。従って、ドライブ側の機器の設計の自由度を向上できることになる。
【００４１】
シャッタ５を閉じ付勢するためのばね部材２０は、２個のコイル部２１・２１を備えた特殊ねじりコイルばねとしたので、一対のばね腕２３・２４の拡縮ストロークを十分に確保しながら、コイル部２１の巻数を必要かつ十分に確保できる。従って、シャッタ５の開閉ストロークが大きい場合にも、シャッタ５を確実に閉じておくことができるのはもちろんのこと、シャッタ５に作用するばね力の変化幅を小さくして、ばね部材２０の耐久性を向上し、記録媒体用カートリッジの信頼性を高めることができる。
【００４２】
とくに、単リール型の磁気テープカートリッジにおいては、ばね部材２０の両コイル部２１・２１が左右に隣接して配置されているので、これにて十分なコイル巻数を備えているにもかかわらず、ばね部材２０これ自体の前後厚みを小さくでき、従って薄板状のシャッタ５のガイド空間を利用して、その内部にばね部材２０を両コイル部２１・２１が上方に位置する縦姿勢に配置できる。これによりケース本体１のコンパクト化を実現するに有利であり、前後スペースが極端に小さい場合にもばね部材２０を支障なく容易に組み付けることができる。
【００４３】
ディスクカートリッジにおいては、ケース本体１の角形コーナー部３６内に三角形のデッドスペースＤがディスク３０との間に生じるところ、このデッドスペースＤに先のばね部材２０を両コイル部２１・２１がケース後方側に突出する略水平姿勢で装着するようにしたので、ケース本体１内の上下高さ寸法が小さい場合にも、前記デッドスペースＤを有効利用してばね部材２０を容易に組み込める利点を有する。
【図面の簡単な説明】
【図１】シャッタを開放した状態での磁気テープカートリッジの要部の一部破断正面図である。
【図２】磁気テープカートリッジの斜視図である。
【図３】磁気テープカートリッジのテープ引出具の保持構造を示す横断平面図である。
【図４】シャッタを閉じた状態での磁気テープカートリッジの一部破断正面図である。
【図５】図４におけるＡ−Ａ線断面図である。
【図６】磁気テープカートリッジのシャッタ構造の分解斜視図である。
【図７】シャッタを閉じた状態でのディスクカートリッジの平面図である。
【図８】シャッタを開放した状態でのディスクカートリッジの平面図である。
【図９】ディスクカートリッジの要部の縦断側面図である。
【図１０】シャッタを閉じた状態でのディスクカートリッジ内の要部の拡大平面図である。
【図１１】シャッタを開放した状態でのディスクカートリッジ内の要部の拡大平面図である。
【符号の説明】
１  ケース本体
２  リール
３  テープ
４  開口部
５  シャッタ
７  テープ引出具
１５・１７  ばね掛け部
２０  ばね部材
２１  コイル部
２２  橋絡部
２３・２４  ばね腕
３０  ディスク
３１  ケース本体の主面壁
３３  シャッタの本体部分
３４  シャッタの縦連結壁
３５・３７  ばね掛け部
３６  角形コーナー部
【図１】
0003658516.tif 000002
【図２】
0003658516.tif 000003
【図３】
0003658516.tif 000004
【図４】
0003658516.tif 000005
【図５】
0003658516.tif 000006
【図６】
0003658516.tif 000007
【図７】
0003658516.tif 000008
【図８】
0003658516.tif 000009
【図９】
0003658516.tif 000010
【図１０】
0003658516.tif 000011
【図１１】
0003658516.tif 000012